(57)【要約】【課題】ハンガーバーの取扱いと増設が容易なハンガーバー保持具、および組み立てが容易なハンガーバー増設セットを提供する。【解決手段】ハンガーバー保持具１は、既存バー８０の上部８０ｔに掛けられる湾曲部１０と、湾曲部１０の一方で既存バー８０の下部８０ｇまで円弧状に延びた第１湾曲部１４と、湾曲部１０の他方で既存バー８０の下部８０ｇまで円弧状に延びた第２湾曲部１６とを備える。ハンガーバー保持具１は、第１湾曲部１４から垂下方向ＤＧに延びた第１下垂部２０と、第２湾曲部１６から垂下方向ＤＧに延びた第２下垂部３０と、を備える。第１下垂部２０は、第１ハンガーバー２９の一端を保持し、第２下垂部３０は、第２ハンガーバー３９の一端を保持する。したがって、一対のハンガーバー保持具１は、第１ハンガーバー２９および第２ハンガーバー３９を保持する。【選択図】図１
2018042954.tif 000002
【特許請求の範囲】
【請求項１】
取り付け先となる既存バーに掛けられる湾曲部と、前記湾曲部の一方で垂下方向に延びた第１下垂部と、前記湾曲部の他方で垂下方向に延びた第２下垂部とを備え、
前記第１下垂部は、前記既存バーと平行に配置されて一の衣服ハンガーが掛けられる第１ハンガーバーの一端を保持し、前記第２下垂部は、前記既存バーと平行に配置されて一の衣服ハンガーが掛けられる第２ハンガーバーの一端を保持するハンガーバー保持具であって、
前記湾曲部は、前記既存バーの上部に掛けられる湾曲頂部と、前記湾曲頂部から一方の側で前記既存バーに沿って前記既存バーの下部まで円弧状に延びた第１湾曲部と、前記湾曲頂部から他方の側で前記既存バーに沿って前記既存バーの下部まで円弧状に延びた第２湾曲部と、を備え、前記既存バーの上方から垂下方向へ平行投影したとき、前記既存バーの長さ方向と斜交して位置し、前記長さ方向で平行投影したとき、前記第１湾曲部と前記第２湾曲部との間で下方に開放された円環状であり、
前記第１下垂部は、前記第１湾曲部から垂下方向へ延びた第１直線部と、前記第１直線部から延びた第１保持部と、を備え、
前記第２下垂部は、前記第２湾曲部から前記第１直線部より長く垂下方向へ延びた第２直線部と、前記第２直線部から延びた第２保持部とを、備え、
前記第１保持部は、前記長さ方向で平行投影したとき、前記第２直線部からから離れる側で前記第１ハンガーバーを着脱式で保持し、
前記第２保持部は、前記長さ方向で平行投影したとき、前記第１直線部から離れる側で前記第２ハンガーバーを着脱式で保持する形状であること、
を特徴とするハンガーバー保持具。
【請求項２】
請求項１に記載のハンガーバー保持具であって、
前記既存バーに掛けられたときの前記長さ方向に対する平行投影で、前記第１直線部と前記第２直線部との間に形成された狭窄間隔は、前記湾曲部の内径より小さいこと
を特徴とするハンガーバー保持具。
【請求項３】
請求項１または請求項２に記載のハンガーバー保持具であって、
前記第１保持部は、上方に開放して前記第１ハンガーバーが上方から嵌め込まれるＵ字形状を有し、
前記第２保持部は、上方に開放して前記第２ハンガーバーが上方から嵌め込まれるＵ字形状を有すること
を特徴とするハンガーバー保持具。
【請求項４】
請求項３に記載のハンガーバー保持具の一対と、一対の前記ハンガーバー保持具に保持される第１ハンガーバーと、一対の前記ハンガーバー保持具に保持される第２ハンガーバーと、を備えるハンガーバー増設セットであって、
前記第１保持部および前記第２保持部は、同一形状であり、
前記第１ハンガーバーおよび第２ハンガーバーは、同一形状であること
を特徴とするハンガーバー増設セット。
【請求項５】
請求項４に記載のハンガーバー増設セットであって、
前記第１ハンガーバーおよび前記第２ハンガーバーは、それぞれ、衣服ハンガーが掛けられる管体と、前記管体の両端に結合された蓋部とを備え、
前記管体は、前記蓋部を固定するネジが締め付けられたネジ締め部を菅端部に備え、
前記蓋部は、前記ネジが固定されたネジ穴と、前記管端部が挿入された管端挿入部と、挿入された前記管端部と交差する水平方向の両側に形成され、第１保持部または第２保持部が嵌め込まれて位置決めされる一対の位置決め溝と、前記位置決め溝の下方で前記管体を露出する管体露出部と、を備えること
を特徴とするハンガーバー増設セット。
【請求項６】
請求項５に記載のハンガーバー増設セットであって、
前記管体の断面形状は、角丸長方形であること
を特徴とするハンガーバー増設セット。
【発明の詳細な説明】
【技術分野】
【０００１】
本発明は、既存のハンガーバーに新しいハンガーバーを追加するハンガーバー保持具、および一対のハンガーバー保持具を用いて新しいハンガーバーを増設するハンガーバー増設セットに関する。
【背景技術】
【０００２】
衣服を収納する手段としてハンガーバーに掛けて使用される衣服ハンガーが知られている。衣服ハンガーは、衣服を保持するために肩部、およびハンガーバーに掛けるフックが設けられた中央部が肉厚に形成される。このため、複数の衣服ハンガーをハンガーバーに掛けた場合、肉厚部が相互に干渉することから１本のハンガーバーでは多数の衣服ハンガーを掛けることができない。
そこで１本の既存バーに対して複数のハンガーバーを取り付けるハンガー吊り具が提案されている（例えば、特許文献１参照。）。
【０００３】
図１１は、特許文献１に開示された従来のハンガー吊り具１００の使用状態を主桿１０１の長さ方向に投影して模式的に示す模式図である。
ハンガー吊り具１００は、予め設置されているハンガーバーである主桿１０１に対して一対のフック部１０２を掛ける形態とされている。一対のフック部１０２は、互いに平行に配置された第１架橋桿１０３および第２架橋桿１０４によって連結され、第１架橋桿１０３および第２架橋桿１０４がそれぞれハンガーバーとして機能する。
【先行技術文献】
【特許文献】
【０００４】
【特許文献１】特開２０１６−４７２１８号公報
【発明の概要】
【発明が解決しようとする課題】
【０００５】
ハンガー吊り具１００は、主桿１０１の両側にわたって掛けられたフック部１０２を有する。フック部１０２は、主桿１０１に掛けられた湾曲部１０２ｂと、湾曲部１０２ｂから延長して下垂する下垂部１０２ｄを有する。下垂部１０２ｄは、湾曲部１０２ｂの一方にのみ配置されている。
下垂部１０２ｄは、上下に分かれて固定された第１架橋桿１０３および第２架橋桿１０４を有する。第１架橋桿１０３および第２架橋桿１０４は、フック部１０２が一方のみに有する１本の下垂部１０２ｄに配置される。このため、第１架橋桿１０３および第２架橋桿１０４は、主桿１０１との間でアンバランスが生じやすく不安定な状態が生じやすい。
また、ハンガー吊り具１００は、フック部１０２に対して第１架橋桿１０３および第２架橋桿１０４が製造段階で固定されていることから、外形が大きくなり、取り扱いが難しい。
本発明はこのような状況に鑑みてなされたものであり、増設する２本のハンガーバーのバランスが取りやすく、また、ハンガーバーの取扱いと増設が容易なハンガーバー保持具を提供することを目的とする。
また、本発明は一対のハンガーバー保持具と、第１ハンガーバーと、第２ハンガーバーとを備え、組み立てが容易で第１ハンガーバーと第２ハンガーバーのバランスが取りやすいハンガーバー増設セットを提供することを他の目的とする。
【課題を解決するための手段】
【０００６】
本発明に係るハンガーバー保持具は、取り付け先となる既存バーに掛けられる湾曲部と、前記湾曲部の一方で垂下方向に延びた第１下垂部と、前記湾曲部の他方で垂下方向に延びた第２下垂部とを備え、前記第１下垂部は、前記既存バーと平行に配置されて一の衣服ハンガーが掛けられる第１ハンガーバーの一端を保持し、前記第２下垂部は、前記既存バーと平行に配置されて一の衣服ハンガーが掛けられる第２ハンガーバーの一端を保持するハンガーバー保持具であって、前記湾曲部は、前記既存バーの上部に掛けられる湾曲頂部と、前記湾曲頂部から一方の側で前記既存バーに沿って前記既存バーの下部まで円弧状に延びた第１湾曲部と、前記湾曲頂部から他方の側で前記既存バーに沿って前記既存バーの下部まで円弧状に延びた第２湾曲部と、を備え、前記既存バーの上方から垂下方向へ平行投影したとき、前記既存バーの長さ方向と斜交して位置し、前記長さ方向で平行投影したとき、前記第１湾曲部と前記第２湾曲部との間で下方に開放された円環状であり、前記第１下垂部は、前記第１湾曲部から垂下方向へ延びた第１直線部と、前記第１直線部から延びた第１保持部と、を備え、前記第２下垂部は、前記第２湾曲部から前記第１直線部より長く垂下方向へ延びた第２直線部と、前記第２直線部から延びた第２保持部とを、備え、前記第１保持部は、前記長さ方向で平行投影したとき、前記第２直線部からから離れる側で前記第１ハンガーバーを着脱式で保持し、前記第２保持部は、前記長さ方向で平行投影したとき、前記第１直線部から離れる側で前記第２ハンガーバーを着脱式で保持する形状であること、を特徴とする。
したがって、本発明に係るハンガーバー保持具は、既存バーの長さ方向に一対として掛けることにより、既存バーの両側に沿って分かれた第１ハンガーバーと第２ハンガーバーとを既存バーに対して平行にかつ着脱式に保持できる。したがって、増設する２本のハンガーバーのバランスを取りやすく、また、ハンガーバーの増設が容易になる。
また、ハンガーバー保持具は、分離された別部材としての第１ハンガーバーと第２ハンガーバーとが適用されるので、セットとしての取扱いと組み立てが容易になる。
【０００７】
また、本発明に係るハンガーバー保持具の一実施態様では、前記既存バーに掛けられたときの前記長さ方向に対する平行投影で、前記第１直線部と前記第２直線部との間に形成された狭窄間隔は、前記湾曲部の内径より小さいことを特徴とする。
また、本発明に係るハンガーバー保持具の一実施態様では、前記第１保持部は、上方に開放して前記第１ハンガーバーが上方から嵌め込まれるＵ字形状を有し、前記第２保持部は、上方に開放して前記第２ハンガーバーが上方から嵌め込まれるＵ字形状を有することを特徴とする。
【０００８】
また、本発明に係るハンガーバー増設セットは、本発明に係るハンガーバー保持具の一対と、一対の前記ハンガーバー保持具に保持される第１ハンガーバーと、一対の前記ハンガーバー保持具に保持される第２ハンガーバーと、を備えるハンガーバー増設セットであって、前記第１保持部および前記第２保持部は、同一形状であり、前記第１ハンガーバーおよび第２ハンガーバーは、同一形状であることを特徴とする。
したがって、本発明に係るハンガーバー増設セットでは、第１保持部と第２保持部は同一形状であり、第１ハンガーバーと第２ハンガーバーは、同一形状であるので第１ハンガーバーと第２ハンガーバーとは、ハンガーバー保持具に容易に組み立てられる。また、増設した第１ハンガーバーと第２ハンガーバーは、バランスを取りやすく、奥行きの狭い空間に対しても容易に増設できる。
【０００９】
また、本発明に係るハンガーバー増設セットの一実施態様では、前記第１ハンガーバーおよび前記第２ハンガーバーは、それぞれ、衣服ハンガーが掛けられる管体と、前記管体の両端に結合された蓋部とを備え、前記管体は、前記蓋部を固定するネジが締め付けられたネジ締め部を菅端部に備え、前記蓋部は、前記ネジが固定されたネジ穴と、前記管端部が挿入された管端挿入部と、挿入された前記管端部と交差する水平方向の両側に形成され、第１保持部または第２保持部が嵌め込まれて位置決めされる一対の位置決め溝と、前記位置決め溝の下方で前記管体を露出する管体露出部と、を備えることを特徴とする。
また、本発明に係るハンガーバー増設セットの一実施態様では、前記管体の断面形状は、角丸長方形であることを特徴とする。
【発明の効果】
【００１０】
本発明に係るハンガーバー保持具は、既存バーの長さ方向に一対として掛けることにより、既存バーの両側に沿って個別の第１ハンガーバーと第２ハンガーバーとを既存バーに対して平行にかつ着脱式に保持できる。したがって、増設する２本のハンガーバーのバランスを取りやすく、また、ハンガーバーの増設が容易になるという効果を奏する。
また、ハンガーバー保持具は、分離された別部材としての第１ハンガーバーと第２ハンガーバーとが適用されるので、セットとしての取扱いと組み立てが容易になるという効果を奏する。
また、本発明に係るハンガーバー増設セットは、一対のハンガーバー保持具に対して同一形状の第１ハンガーバーと第２ハンガーバーとを組み合わせるので、簡単な構成部材で容易に組み立てされる。また、増設した第１ハンガーバーと第２ハンガーバーは、バランスを取りやすく、奥行きの狭い空間に対しても容易に増設できるという効果を奏する。
【図面の簡単な説明】
【００１１】
【図１】本発明の実施の形態１に係るハンガーバー保持具を組み立てて実施の形態２に係るハンガーバー増設セットを既存バーに設定した使用状態を示す全体模式図である。
【図２】本発明の実施の形態１に係るハンガーバー保持具を既存バーの長さ方向で平行投影して示す模式正面図である。
【図３】図２に示したハンガーバー保持具を長さ方向に対する水平方向で平行投影して示す模式側面図である。
【図４】図２に示したハンガーバー保持具を上方から平行投影して示す模式平面図である。
【図５】本発明の実施の形態２に係るハンガーバー増設セットに適用される第１ハンガーバーおよび第２ハンガーバーの管体と蓋部との位置関係を分解して管体の後方から見た状態で示す分解斜視図である。
【図６】図５に示した管体と蓋部との関係を分解して管体の前方から見た状態で示す分解斜視図である。
【図７】図５に示した管体と蓋部とが組み立てられた第１ハンガーバーまたは第２ハンガーバーを蓋部の側から見た状態で示す斜視図である。
【図８】図２ないし図４で示したハンガーバー保持具を既存バーに掛けるときの取扱い状況を説明する模式平面図である。
【図９】図８に示したハンガーバー保持具が既存バーに掛けられたときの状況を斜め上方から見て示す斜視図である。
【図１０】本発明の実施の形態２に係るハンガーバー増設セットを組み立てて衣服ハンガーを掛けた状態を斜め上方から見て示す斜視図である。
【図１１】従来のハンガー吊り具の使用状態を模式的に示す模式図である。
【発明を実施するための形態】
【００１２】
以下、本発明の実施の形態について図面を参照して説明する。
［全体構成］
図１を参照して、実施の形態１に係るハンガーバー保持具１とハンガーバー保持具１を既存バー８０に掛けて組み立てた実施の形態２に係るハンガーバー増設セットＳＴの全体構成について説明する。
図１は、本発明の実施の形態１に係るハンガーバー保持具１を組み立てて実施の形態２に係るハンガーバー増設セットＳＴを既存バー８０に設定した使用状態を示す全体模式図である。
【００１３】
本発明の実施の形態１に係るハンガーバー保持具１は、取り付け先となる既存バー８０の上部８０ｔに掛けられる湾曲部１０と、湾曲部１０の一方で既存バー８０の下部８０ｇまで円弧状に延びた第１湾曲部１４と、湾曲部１０の他方で既存バー８０の下部８０ｇまで円弧状に延びた第２湾曲部１６とを備える。
ハンガーバー保持具１は、第１湾曲部１４から垂下方向ＤＧに延びた第１下垂部２０と、第２湾曲部１６から垂下方向ＤＧに延びた第２下垂部３０と、を備える。第１下垂部２０は、第１ハンガーバー２９の一端を保持し、第２下垂部３０は、第２ハンガーバー３９の一端を保持する。したがって、一対のハンガーバー保持具１は、第１ハンガーバー２９および第２ハンガーバー３９を保持する。
【００１４】
つまり、実施の形態２に係るハンガーバー増設セットＳＴは、既存バー８０の長さ方向ＤＬで第１ハンガーバー２９および第２ハンガーバー３９の長さに対応する間隔で配置された一対のハンガーバー保持具１と、第１ハンガーバー２９と、第２ハンガーバー３９とを備える。なお、ハンガーバー増設セットＳＴは、組み立てられる前の段階では、ハンガーバー保持具１、第１ハンガーバー２９、第２ハンガーバー３９はそれぞれ分離して個別の状態であるから移動、組み立てなどにおける取り扱いが極めて容易になる。
【００１５】
第１下垂部２０は、先端に第１ハンガーバー２９の管体４０を保持する第１保持部２４を備え、第２下垂部３０は、先端に第２ハンガーバー３９の管体４０を保持する第２保持部３４を備える。管体４０は両端を覆う蓋部５０を備える。
第１ハンガーバー２９と第２ハンガーバー３９とは、垂下方向ＤＧでの高さの間隔として高さ間隔Ｇｈを有する。第１保持部２４と第２保持部３４とは、長さ方向ＤＬにおける間隔としてずらし間隔Ｇｓを有する。
【００１６】
以下、実施の形態１（図２〜図４）は、主にハンガーバー保持具１について説明し、実施の形態２（図５〜図７）は、主に第１ハンガーバー２９および第２ハンガーバー３９について説明し、実施の形態２（図８、図９）は、主にハンガーバー保持具１と既存バー８０との関連について説明し、実施の形態２（図１０）はハンガーバー増設セットＳＴを組み立てて衣服ハンガーＨＧ（図１では省略）を使用する状態について説明する。
【００１７】
［実施の形態１：図２〜図４］
図２ないし図４を参照して、本実施の形態に係るハンガーバー保持具１について説明する。
図２は、本発明の実施の形態１に係るハンガーバー保持具１を既存バー８０の長さ方向ＤＬで平行投影して示す模式正面図である。
図３は、図２に示したハンガーバー保持具１を長さ方向ＤＬに対する水平方向ＤＨで平行投影して示す模式側面図である。
図４は、図２に示したハンガーバー保持具１を上方から平行投影して示す模式平面図である。
【００１８】
ハンガーバー保持具１は、取り付け先となる既存バー８０に掛けられる湾曲部１０と、湾曲部１０の一方で垂下方向ＤＧに延びた第１下垂部２０と、湾曲部１０の他方で垂下方向ＤＧに延びた第２下垂部３０とを備える。
第１下垂部２０は、既存バー８０と平行に配置されて一の衣服ハンガーＨＧ（図１０参照）が掛けられる第１ハンガーバー２９の一端（管体４０）を保持し、第２下垂部３０は、既存バー８０と平行に配置されて一の衣服ハンガーＨＧが掛けられる第２ハンガーバー３９の一端（管体４０）を保持する。
湾曲部１０は、既存バー８０の上部８０ｔに掛けられる湾曲頂部１２と、湾曲頂部１２から一方の側で既存バー８０に沿って既存バー８０の下部８０ｇまで円弧状に延びた第１湾曲部１４と、湾曲頂部１２から他方の側で既存バー８０に沿って既存バー８０の下部８０ｇまで円弧状に延びた第２湾曲部１６と、を備える。湾曲部１０は、既存バー８０の上方から垂下方向ＤＧへ平行投影したとき、既存バー８０の長さ方向ＤＬと斜交して位置し（図３、図４）、長さ方向ＤＬで平行投影したとき、第１湾曲部１４と第２湾曲部１６との間で下方に開放された円環状（図２）である。
なお、既存バー８０の上部８０ｔは、既存バー８０の長さ方向ＤＬに直交する断面で水平方向ＤＨの幅が最大の位置から上方を示す。また、既存バー８０の下部８０ｇは、上部８０ｔと同様に水平方向ＤＨの幅が最大の位置から下方を示す。また、既存バー８０の断面形状は、一般的には円筒あるいは円柱である。本実施の形態では、円柱として示す。既存バー８０の外径φｂは、例えば１０ｍｍないし５０ｍｍ程度である。
既存バー８０の断面形状として、円の場合を例示した。既存バー８０は、その他の形状、例えば楕円であっても同様に作用する。
【００１９】
第１下垂部２０は、第１湾曲部１４から垂下方向ＤＧへ延びた第１直線部２２と、第１直線部２２から延びた第１保持部２４と、を備え、第２下垂部３０は、第２湾曲部１６から第１直線部２２より長く垂下方向ＤＧへ延びた第２直線部３２と、第２直線部３２から延びた第２保持部３４とを、備える。
第１保持部２４は、長さ方向ＤＬで平行投影したとき、第２直線部３２からから離れる側で第１ハンガーバー２９を着脱式で保持し、第２保持部３４は、長さ方向ＤＬで平行投影したとき、第１直線部２２から離れる側で第２ハンガーバー３９を着脱式で保持する形状である。
【００２０】
ハンガーバー保持具１は、既存バー８０の長さ方向ＤＬに一対として掛けることにより、既存バー８０の両側に沿って個別の第１ハンガーバー２９と第２ハンガーバー３９とを既存バー８０に対して平行にかつ着脱式に保持できる。したがって、増設する２本のハンガーバーのバランスを取りやすく、また、ハンガーバーの増設が容易になる。
また、ハンガーバー保持具１は、分離された別部材としての第１ハンガーバー２９と第２ハンガーバー３９とが適用されるので、セットとしての取扱いと組み立てが容易になる。
ハンガーバー保持具１は、湾曲部１０の一方の第１湾曲部１４から下垂した第１下垂部２０で第１ハンガーバー２９を保持し、湾曲部１０の他方の第２湾曲部１６から下垂した第２下垂部３０で第２ハンガーバー３９を保持するので、既存バー８０に対して第１ハンガーバー２９と第２ハンガーバー３９とのバランスを取りやすい。また、第１保持部２４は第１ハンガーバー２９を着脱式に保持し、第２保持部３４は第２ハンガーバー３９を着脱式に保持する形状であるから、取り扱いとハンガーバーの増設が容易となる。
【００２１】
ハンガーバー保持具１は、第２直線部３２の長さが第１直線部２２の長さより長いので、垂下方向ＤＧでの第２保持部３４の位置は、第１保持部２４の位置より下方に位置する。したがって、保持される第１ハンガーバー２９と第２ハンガーバー３９は、垂下方向ＤＧで管体４０同士の高さ間隔Ｇｈ（図１）を形成できるので垂下方向ＤＧでの衣服ハンガーＨＧの重なりが抑制される。
なお、第１直線部２２と第２直線部３２との長さの違いは、第１保持部２４（Ｕ字形２６）の下端２６ｂと第２保持部３４（Ｕ字形３６）の下端３６ｂとの垂下方向ＤＧでの差（下端ギャップ長Ｌｇ）として現れる。
また、ハンガーバー保持具１は、既存バー８０の長さ方向ＤＬと斜交して（図３、図４）延長された第１湾曲部１４と第２湾曲部１６のそれぞれが延びた第１下垂部２０の先端と第２下垂部３０の先端にそれぞれ配置された第１保持部２４と第２保持部３４を有する。
【００２２】
つまり、ハンガーバー保持具１は、既存バー８０の上方から（あるいは長さ方向ＤＬで）平行投影したとき、既存バー８０の両側で、かつ互いに離れる反対側で第１ハンガーバー２９と第２ハンガーバー３９を保持する（図２、図４）。このため、第１ハンガーバー２９と第２ハンガーバー３９は、水平方向ＤＨで管体４０同士の離れ間隔Ｇｄ（図２）を確保するので衣服ハンガーＨＧの重なりが抑制される。
また、ハンガーバー保持具１は、第１ハンガーバー２９と第２ハンガーバー３９を保持したとき、既存バー８０の長さ方向ＤＬにおいて第１保持部２４と第２保持部３４を互いに位置をずらせて配置する。このため、第１ハンガーバー２９と第２ハンガーバー３９とは、既存バー８０の長さ方向ＤＬにおける第１直線部２２と第２直線部３２との間のずらし間隔Ｇｓに従って位置をずらして配置される（図３）。したがって、保持される第１ハンガーバー２９と第２ハンガーバー３９とは、長さ方向ＤＬで位置がずらされ、ずらし間隔Ｇｓの範囲において、衣服ハンガーＨＧの重なりが確実に抑制される。
【００２３】
ハンガーバー保持具１は、保持する第１ハンガーバー２９と第２ハンガーバー３９との位置関係を垂下方向ＤＧにおける高さ間隔Ｇｈ、水平方向ＤＨにおける既存バー８０の両側への離れ間隔Ｇｄ、既存バー８０の長さ方向ＤＬでのずらし間隔Ｇｓという３つの観点（３次元）で異ならせる。このため、第１ハンガーバー２９と第２ハンガーバー３９との重なりを回避して、第１ハンガーバー２９に掛けられる衣服ハンガーＨＧと第２ハンガーバー３９に掛けられる衣服ハンガーＨＧとの配置位置を異ならせて配置密度を向上させ、掛けられる衣服ハンガーＨＧの総数を増やすことができる。その結果、より多くの衣服を衣服ハンガーＨＧに掛けやすくなる。
なお、高さ間隔Ｇｈ、離れ間隔Ｇｄ、ずらし間隔Ｇｓは、対象とする衣服ハンガーＨＧの寸法に応じて予め適宜設定できる。
高さ間隔Ｇｈは、例えば１０ｍｍ〜３０ｍｍである。衣服ハンガーＨＧのフック部が通過して掛けられる程度の範囲が適用される。
離れ間隔Ｇｄは、例えば１０ｍｍ〜４０ｍｍである。ハンガーバー保持具１の線径が例えば５ｍｍとした場合、狭窄間隔Ｇｎ（０〜３０ｍｍ）に第１直線部２２、第２直線部３２のそれぞれの線径（合計１０ｍｍ）を加算した値が適用される。
ずらし間隔Ｇｓは、例えば２０ｍｍ〜５０ｍｍである。ハンガーバー保持具１が捩じられて既存バー８０を通過して掛けられる程度の範囲が適用される。
なお、ずらし間隔Ｇｓは、外径φｂより大きく、ずらし間隔Ｇｓを利用して既存バー８０に掛けられる（図８参照）。例えば、クローゼットあるいは洋服ダンスの天面と既存バー８０との間が狭い場合でも、ハンガーバー保持具１は、第２下垂部３０を既存バー８０の上方の隙間から奥行き方向へ差し込んで既存バー８０に取り付けられる。
【００２４】
ハンガーバー保持具１において、既存バー８０に掛けられたときの長さ方向ＤＬに対する平行投影で、第１直線部２２と第２直線部３２との間に形成された狭窄間隔Ｇｎは、湾曲部１０の内径φｉｎより小さい。
狭窄間隔Ｇｎは、例えば０ｍｍ〜３０ｍｍである。ハンガーバー保持具１が上方へ垂直に上げられたとき、既存バー８０が通過しない範囲が適用される。
ハンガーバー保持具１は、既存バー８０に掛けられた状態で既存バー８０の長さ方向ＤＬに平行投影したとき、第１直線部２２と第２直線部３２との間隔（狭窄間隔Ｇｎ）が湾曲部１０の内径φｉｎより小さい。つまり、ハンガーバー保持具１は、湾曲部１０が既存バー８０の下部８０ｇまで延長していることから、湾曲部１０の内径φｉｎに対して第１下垂部２０と第２下垂部３０との間が狭窄状態である。
したがって、ハンガーバー保持具１は、第１ハンガーバー２９と第２ハンガーバー３９との間隔を小さくし、配置密度を大きくできる。
【００２５】
このため、第１ハンガーバー２９および第２ハンガーバー３９は、何れにおいても既存バー８０の長さ方向ＤＬの位置から水平方向ＤＨで大きく離れることは無い。つまり、第１ハンガーバー２９および第２ハンガーバー３９は、水平方向ＤＨにおいて既存バー８０から大きく離れない。したがって、既存バー８０が設置されているクローゼットあるいは洋服ダンスなどの既存の空間（奥行）が狭い場合でも容易に設置して活用される。
また、ハンガーバー保持具１は、第１直線部２２と第２直線部３２との間が狭窄間隔Ｇｎであるので、既存バー８０から脱落し難い。このため、第１ハンガーバー２９および第２ハンガーバー３９は、既存バー８０から脱落しにくくなるので、脱落による事故の発生を抑制しやすい。
なお、既存バー８０の外径φｂは、湾曲部１０の内径φｉｎより小さいことが好ましい。このため、ハンガーバー保持具１は、確実に既存バー８０に掛けられる。また、外径φｂが内径φｉｎよりも大きい場合でも、ハンガーバー保持具１の両方の端部は開放されていることから、ハンガーバー保持具１は、既存バー８０に掛けられる。
【００２６】
請求項３
ハンガーバー保持具１において、第１保持部２４は、上方に開放して第１ハンガーバー２９が上方から嵌め込まれるＵ字形状２６を有し、第２保持部３４は、上方に開放して第２ハンガーバー３９が上方から嵌め込まれるＵ字形状３６を有する。また、Ｕ字形状２６は、第１ハンガーバー２９（管体４０）を保持する保持用凹部２７を備え、Ｕ字形状３６は、第２ハンガーバー３９（管体４０）を保持する保持用凹部３７を備える。
すなわち、第１保持部２４および第２保持部３４は、上方に開放したＵ字形状２６（保持用凹部２７）およびＵ字形状３６（保持用凹部３７）を有するので、第１ハンガーバー２９（管体４０）および第２ハンガーバー３９（管体４０）を上方から容易に嵌め込んで正確に位置決めして確実に保持する。つまり、第１ハンガーバー２９と第２ハンガーバー３９は既存バー８０を挟んで平行に配置される。なお、垂下方向ＤＧでの高さ、水平方向ＤＨでの位置、および長さ方向ＤＬでの位置が異なることは先に説明したとおりである。
また、第１保持部２４に対する第１ハンガーバー２９の嵌め込み、第２保持部３４に対する第２ハンガーバー３９の嵌め込みによって、湾曲部１０に対する第１下垂部２０と第２下垂部３０の相対位置をより正確に位置決めしやすくなる。このため、既存バー８０に対する湾曲部１０の位置を確実に固定化し、使用勝手を向上しやすくする。
また、第１ハンガーバー２９および第２ハンガーバー３９を取り付けるために既存バー８０に掛けられた一対の湾曲部１０の相対位置は、一対の第１保持部２４に対する第１ハンガーバー２９の嵌め込み、一対の第２保持部３４に対する第２ハンガーバー３９の嵌め込みによって、高い精度で位置決めされる。
【００２７】
第１保持部２４のＵ字形状２６が形成する第１仮想平面２６ｆと、第２保持部３４のＵ字形状３６が形成する第２仮想平面３６ｆとは平行である。一対のハンガーバー保持具１に対して第１ハンガーバー２９と第２ハンガーバー３９とを連結したとき、第１ハンガーバー２９は第１仮想平面２６ｆに対して垂直に配置され、第２ハンガーバー３９は第２仮想平面３６ｆに対して垂直に配置される。したがって、第１ハンガーバー２９と第２ハンガーバー３９とは、互いに平行に配置され、高い精度で位置決めされる。
【００２８】
［実施の形態２：図５〜図７］
図５ないし図７を参照して、本実施の形態に係るハンガーバー増設セットＳＴに適用される第１ハンガーバー２９および第２ハンガーバー３９について説明する。
図５は、本発明の実施の形態２に係るハンガーバー増設セットＳＴに適用される第１ハンガーバー２９および第２ハンガーバー３９の管体４０と蓋部５０との位置関係を分解して管体４０の後方から見た状態で示す分解斜視図である。
図６は、図５に示した管体４０と蓋部５０との位置関係を分解して管体４０の前方から見た状態で示す分解斜視図である。
管体４０と蓋部５０とは、ネジ４６によって連結される。蓋部５０は、管体４０の外周より一回り大きく周囲を丸められた略直方体に近い形状を有する。管体４０は、管端部４２、ネジ締め部４４、位置決め凹部４８を有する。また、蓋部５０は、ネジ穴５２、管端挿入部５３、位置決め溝５４、管体露出部５５、位置決め凸部５６を有する。
位置決め凸部５６は、管体４０に対する蓋部５０の位置決め精度と連結強度を上げるために管体４０の位置決め凹部４８の内側形状に合わせて形成され位置決め凹部４８に嵌め込まれる。
ネジ４６は、ネジ穴５２を介してネジ締め部４４にネジ止めされ、結果として管体４０と蓋部５０とは連結される。位置決め凸部５６は、位置決め凹部４８に嵌め込まれ結合強度を向上させる。管体４０と蓋部５０とが連結された状態で、位置決め溝５４の下方で開放された管体露出部５５では、管端部４２が露出された状態となる。
【００２９】
管体４０の断面形状は、管体４０の断面形状は、角丸長方形であることが好ましい。管体４０は、垂下方向ＤＧに沿う縦の寸法に対して、水平方向ＤＨに沿う横の寸法が小さい。つまり、管体４０は、使用状態で垂下方向ＤＧに長いことから垂下方向ＤＧでの強度を確保しやすい。垂下方向ＤＧにおける強度が向上するので、より多くの衣服ハンガーＨＧを掛けることができる。
また、管体４０は、既存バー８０に比較して長さ方向ＤＬと交差する水平方向ＤＨでの幅が小さいので、第１ハンガーバー２９および第２ハンガーバー３９が水平方向ＤＨで占める領域を縮小してコンパクトなハンガーバーを形成する。したがって、ハンガーバー増設セットＳＴは、クローゼットあるいは洋服ダンスの奥行に対してほとんど影響を受けないコンパクトな形状を実現する。
管体４０は、例えばアルミニウム、またはアルミニウム合金で形成される。また、縦の寸法は例えば１５ｍｍ〜３０ｍｍ、横の寸法は例えば１０ｍｍ〜２０ｍｍである。
【００３０】
図７は、図５に示した管体４０と蓋部５０とが組み立てられた第１ハンガーバー２９または第２ハンガーバー３９を蓋部５０の側から見た状態で示す斜視図である。
ハンガーバー増設セットＳＴにおいて、第１ハンガーバー２９および第２ハンガーバー３９は、それぞれ、衣服ハンガーＨＧが掛けられる管体４０と、管体４０の両端を覆う蓋部５０とを備え、管体４０は、蓋部５０を固定するネジ４６が締め付けられたネジ締め部４４を管端部４２に備え、蓋部５０は、ネジ４６が固定されたネジ穴５２と、管端部４２が挿入された管端挿入部５３と、挿入された管体４０と交差する水平方向ＤＨの両側に形成され、第１保持部２４または第２保持部３４が嵌め込まれて位置決めされる一対の位置決め溝５４と、位置決め溝５４の下方で管体４０を露出する管体露出部５５と、を備える。
【００３１】
管端部４２に取り付けられた蓋部５０が有する一対の位置決め溝５４は、第１保持部２４または第２保持部３４が有するＵ字形状２６またはＵ字形状３６に上方から嵌め込まれ、管体４０は、下方の管体露出部５５で露出する。
このため、Ｕ字形状２６またはＵ字形状３６（第１保持部２４または第２保持部３４）が有する保持用凹部２７、保持用凹部３７は、露出している管体４０の下側を直接保持する形態となる。したがって、管体露出部５５で露出した管体４０は、確実な強度を有する保持用凹部２７または保持用凹部３７で直接支えられる。
つまり、ハンガーバー増設セットＳＴは、第１ハンガーバー２９および第２ハンガーバー３９を確実に保持して安定的に衣服ハンガーＨＧを掛けるスペースを増やすことができる。また、位置決め溝５４をＵ字形状２６またはＵ字形状３６へ嵌め込むだけで良く、容易に組み立てられる。
【００３２】
上記したとおり、ハンガーバー増設セットＳＴは、ハンガーバー保持具１の一対と、一対のハンガーバー保持具１に保持される第１ハンガーバー２９と、一対のハンガーバー保持具１に保持される第２ハンガーバー３９と、を備える。
ハンガーバー増設セットＳＴにおいて、第１保持部２４および第２保持部３４は、同一形状であり、第１ハンガーバー２９および第２ハンガーバー３９は、同一形状である。
つまり、ハンガーバー増設セットＳＴは、既存バー８０に掛けられる一対のハンガーバー保持具１と、ハンガーバー保持具１に組み立てられる同一形状の第１ハンガーバー２９と第２ハンガーバー３９とを備える。第１保持部２４と第２保持部３４は同一形状であるので第１ハンガーバー２９と第２ハンガーバー３９とは、ハンガーバー保持具１に容易に取付けられ組み立てが容易となる。また、増設した第１ハンガーバー２９と第２ハンガーバー３９は、バランスを取りやすく、奥行きの狭い空間に対しても容易に増設できる。
ハンガーバー増設セットＳＴは、構成する部品点数が抑制される。つまり、２個のハンガーバー保持具１と実質同一形状である第１ハンガーバー２９および第２ハンガーバー３９で構成される。このため、製造コストが抑制される。
【００３３】
［実施の形態２：図８、図９］
図８および図９を参照して、本実施の形態に係るハンガーバー増設セットＳＴに適用されるハンガーバー保持具１の取扱いについて説明する。
図８は、図２〜図４で示したハンガーバー保持具１を既存バー８０に掛けるときの状況を説明する模式平面図である。
ハンガーバー保持具１は、ずらし間隔Ｇｓを利用して既存バー８０に掛けられた後（図では破線で示される）、回転方向Ｒｏｔへ回転されて仮止めされ取り付けられる（図では実線で示される）。更に具体的には次のとおりである。
第１保持部２４のＵ字形状２６が形成する第１仮想平面２６ｆと、第２保持部３４のＵ字形状３６が形成する第２仮想平面３６ｆとは平行である。つまり、Ｕ字形状２６とＵ字形状３６とは、平行であり、相互間にずらし間隔Ｇｓを有している。また、ずらし間隔Ｇｓは、既存バー８０の外径φｂより大きい形状に設定されている。つまり、ずらし間隔Ｇｓは、既存バー８０へハンガーバー保持具１を掛けるときのマージンとしても作用する。
ハンガーバー保持具１は、既存バー８０に掛けられるとき、外径φｂより大きい隙間を有するずらし間隔Ｇｓが利用される。つまり、Ｕ字形状２６が形成する第１仮想平面２６ｆとＵ字形状３６が形成する第２仮想平面３６ｆとを長さ方向ＤＬと略平行に配置し、奥行き側にＵ字形状３６を配置して掛ける。これによって、ハンガーバー保持具１は、既存バー８０に掛けられる。Ｕ字形状３６を既存バー８０に掛け渡す際に、第２仮想平面３６ｆという平面的な形態で掛け渡すので、ハンガーバー保持具１は、既存バー８０と例えばクローゼットの天面との隙間が狭い場合でも容易に取り付けられる。
既存バー８０に掛けられたハンガーバー保持具１は、回転方向Ｒｏｔに略９０度回転される。回転方向Ｒｏｔへの回転によって、第１仮想平面２６ｆおよび第２仮想平面３６ｆは、長さ方向ＤＬと交差する方向に配置される。したがって、第１ハンガーバー２９および第２ハンガーバー３９は、Ｕ字形状２６およびＵ字形状３６に嵌められたとき、既存バー８０に対して平行な位置を確保できる。
【００３４】
図９は、図８に示したハンガーバー保持具１が既存バー８０に掛けられたときの状況を斜め上方から見て示す斜視図である。
ハンガーバー保持具１が既存バー８０に掛けられ、第１仮想平面２６ｆ、第２仮想平面３６ｆが既存バー８０に対して交差方向に配置された状態で、第１ハンガーバー２９、第２ハンガーバー３９が取り付けられる。したがって、いずれの部材も軽量で取り扱いがしやすいので、ハンガーバー増設セットＳＴの組み立ては極めて容易になる。
なお、ハンガーバー保持具１は、例えばステンレスチールの円筒、あるいは丸棒で形成されている。ハンガーバー保持具１は、例えば直径が３ｍｍ〜１０ｍｍである。
ハンガーバー増設セットＳＴを既存バー８０に取り付けるときは、先ずハンガーバー保持具１のみを取り付け、その後で第１ハンガーバー２９および第２ハンガーバー３９を取り付けるので取り扱いが容易で簡単に組み立てられる。
特に、奥行きが小さいクローゼット、既存バー８０と天面との隙間が小さいクローゼットなどへの適用が容易となる。つまり、ハンガーバー保持具１は、第２下垂部３０を既存バー８０の上部から奥行き方向へ差し込んで、回転させるだけで設定されるので、既存バー８０の上部空間が狭い場合でも容易に設定できる。
【００３５】
［実施の形態２：図１０］
図１０は、本発明の実施の形態２に係るハンガーバー増設セットＳＴを組み立てて衣服ハンガーＨＧを掛けた状態を斜め上方から見て示す斜視図である。
既存バー８０に一対のハンガーバー保持具１が掛けられ、各ハンガーバー保持具１は、第１ハンガーバー２９の蓋部５０、および第２ハンガーバー３９の蓋部５０を係止し、管体４０がハンガーバー保持具１に保持されている。
第１ハンガーバー２９に掛けられた衣服ハンガーＨＧと第２ハンガーバー３９に掛けられた衣服ハンガーＨＧとは、肉厚部が重ならないので多数の衣服ハンガーＨＧが掛けられる。
【産業上の利用可能性】
【００３６】
本発明は、既に配置された既存バーに対してハンガーバーを増設できるので限られた範囲で衣服ハンガーを効果的に増やせる。
【符号の説明】
【００３７】
１：ハンガーバー保持具
１０：湾曲部
１２：湾曲頂部
１４：第１湾曲部
１６：第２湾曲部
２０：第１下垂部
２２：第１直線部
２４：第１保持部
２６：Ｕ字形状
２６ｂ：下端
２６ｆ：第１仮想平面
２７：保持用凹部
２９：第１ハンガーバー
３０：第２下垂部
３２：第２直線部
３４：第２保持部
３６：Ｕ字形状
３６ｂ：下端
３６ｆ：第２仮想平面
３７：保持用凹部
３９：第２ハンガーバー
４０：管体
４２：管端部
４４：ネジ締め部
４６：ネジ
４８：位置決め凹部
５０：蓋部
５２：ネジ穴
５３：管端挿入部
５４：位置決め溝
５５：管体露出部
５６：位置決め凸部
８０：既存バー
８０ｇ：下部
８０ｔ：上部
ＤＧ：垂下方向
ＤＨ：水平方向
ＤＬ：長さ方向
Ｇｄ：離れ間隔
Ｇｈ：高さ間隔
Ｇｎ：狭窄間隔
Ｇｓ：ずらし間隔
ＨＧ：衣服ハンガー
Ｌｇ：下端ギャップ長
Ｒｏｔ：回転方向
ＳＴ：ハンガーバー増設セット
φｂ：外径
φｉｎ：内径
【図１】
2018042954.tif 000003
【図２】
2018042954.tif 000004
【図３】
2018042954.tif 000005
【図４】
2018042954.tif 000006
【図５】
2018042954.tif 000007
【図６】
2018042954.tif 000008
【図７】
2018042954.tif 000009
【図８】
2018042954.tif 000010
【図９】
2018042954.tif 000011
【図１０】
2018042954.tif 000012
【図１１】
2018042954.tif 000013